(57)【要約】      （修正有）【課題】ベッド用のテーブル収納機構に関し、テーブルをベッドの足下付近に設けられた所定位置まで移動させ、テーブルの収納をスムーズに行う。【解決手段】ベッド２０の上方に位置する天板３１と、天板３１からベッド２０の側部に向かって延びる支柱３２とを備えたテーブル３０を、ベッド２０の長手方向に沿ってスライド及び旋回可能に保持し、未使用時にベッド２０のフットボード２２に接近させる。テーブル収納機構１０は、テーブル３０をベッド２０の足下付近に設けられた所定位置に移動させると、テーブル３０を旋回可能とし、テーブル３０を旋回することにより、天板３１をベッド２０のフットボード２２に接近させ保持する。【選択図】図１
2011142962.tif 000002
【特許請求の範囲】
【請求項１】
ベッドの上方に位置する天板と、前記天板から前記ベッドの側部に向かって延びる支柱とを備えたテーブルを、前記ベッドの長手方向に沿ってスライド及び旋回可能に保持し、未使用時に前記ベッドのフットボードに接近させるベッド用のテーブル収納機構において、
前記テーブル収納機構は、
前記テーブルを前記ベッドの足下付近に設けられた所定位置に移動させると、前記テーブルを旋回可能とし、前記テーブルを旋回することにより、前記天板を前記ベッドのフットボードに接近させ保持することを特徴とするベッド用のテーブル収納機構。
【請求項２】
請求項１に記載のベッド用のテーブル収納機構であって、
前記ベッドの側部には、
前記ベッドの長手方向に沿ってパネルとレールとを設け、
前記テーブルの支柱には、
前記パネル及び前記レールに対してスライド可能に支持され、前記所定位置において前記支柱をスライド不能に固定し、前記パネル及び前記レールに対して前記支柱を旋回可能なストッパーユニットを設けたことを特徴とするベッド用のテーブル収納機構。
【請求項３】
請求項２に記載のベッド用のテーブル収納機構であって、
前記パネルの前記所定位置には、
前記支柱を旋回可能とする停止旋回部を設けたことを特徴とするベッド用のテーブル収納機構。
【請求項４】
請求項１〜３のいずれか１項に記載のベッド用のテーブル収納機構であって、
前記テーブル収納機構には、
前記テーブルのスライド範囲内において、複数の使用位置で選択的に、前記テーブルのスライドを停止させるための停止手段を備えたことを特徴とするベッド用のテーブル収納機構。
【請求項５】
請求項４に記載のベッド用のテーブル収納機構であって、
前記ベッドの側部には、
前記ベッドの長手方向に沿ってパネルを設け、
前記停止手段には、
前記パネルの前記各使用位置に設けられた複数の一時停止部を備えたことを特徴とするベッド用のテーブル収納機構。
【請求項６】
請求項５に記載のベッド用のテーブル収納機構であって、
前記停止手段には、
前記パネルに設けられた前記複数の一時停止部の一つに係合する昇降部材と、
当該昇降部材を前記一時停止部に向かって押圧する押圧手段とを備えたことを特徴とするベッド用のテーブル収納機構。
【請求項７】
請求項１〜６のいずれか１項に記載のベッド用のテーブル収納機構であって、
前記テーブルには、
前記ベッドの長手方向に沿って当該ベッドの側部に設けられたレール内に転動可能に設けられた摺動部材を備えたことを特徴とするベッド用のテーブル収納機構。
【請求項８】
請求項１〜７のいずれか１項に記載のベッド用のテーブル収納機構であって、
前記テーブルには、
前記ベッドの側板に当接するガタ防止部を設けたことを特徴とするベッド用のテーブル収納機構。
【請求項９】
請求項１〜８のいずれか１項に記載のベッド用のテーブル収納機構であって、
前記テーブル収納機構には、
前記旋回の支点に対し、前記ベッドのヘッドボード側に向かって常に回転するように付勢するための付勢手段を備えたことを特徴とするベッド用のテーブル収納機構。
【発明の詳細な説明】
【技術分野】
【０００１】
この発明は、ベッド用のテーブル収納機構に関し、テーブルをベッドの足下付近に設けられた所定位置まで移動させることにより、テーブルの旋回が可能となることから、テーブルの収納をスムーズに行うことができるようにしたものである。
【背景技術】
【０００２】
従来、脚の先端に切欠を設け、この切欠の上部には長孔を穿設し、かつローラー部材の上部に設けられた連結室には上部ピン及び下部ピンを縦列に配置してなるテーブル付きベッドが知られている（例えば特許文献１の２頁左欄33行〜最下行、第４図及び第５図参照）。
上記従来のテーブル付きベッドの長孔には、上部ピンを遊挿し、かつ切欠には下部ピンを着脱自在に係止してなり、これによりローラー部材と脚の先端が連結室において連結されるようにしている（例えば特許文献１の２頁左欄最下行〜同頁右欄４行、第４図及び第５図参照）。
【０００３】
上記従来のテーブル付きベッドは、テーブルをベッド本体の足下まで移動した後、脚を引き上げて下部ピンを切欠から脱着し、次いで上部ピンを支点として脚を水平方向に倒すことのより、テーブルをベッド方向に格納していた（例えば特許文献１の２頁右欄８〜１８、第４図及び第５図参照）。
【先行技術文献】
【特許文献】
【０００４】
【特許文献１】実公昭62-28936号公報
【発明の概要】
【発明が解決しようとする課題】
【０００５】
しかし、上記した従来のテーブル付きベッドでは、テーブルをベッド本体の足下まで移動した後、脚を引き上げてからテーブルを倒さなければならず、テーブルの収納に２アクションが必要となり、面倒であるという問題点があった。
そこで、各請求項にそれぞれ記載された各発明は、上記した従来の技術の有する問題点に鑑みてなされたものであり、その目的とするところは、次の点にある。
（請求項１）
請求項１に記載の発明は、次の点を目的とする。
【０００６】
すなわち、請求項１に記載の発明は、テーブルをベッドの足下付近に設けられた所定位置まで移動させることにより、テーブルの旋回が可能となることから、テーブルの収納をスムーズに行うことができるようにしたものである。
（請求項２）
請求項２に記載の発明は、上記した請求項１に記載の発明の目的に加え、次の点を目的とする。
【０００７】
すなわち、請求項２に記載の発明は、ベッドの側部に設けたパネル及びレールと、テーブルの支柱に設けたストッパーユニットとからテーブル収納機構を構成することができるようにしたものである。
（請求項３）
請求項３に記載の発明は、上記した請求項２に記載の発明の目的に加え、次の点を目的とする。
【０００８】
すなわち、請求項３に記載の発明は、パネルの所定位置に停止旋回部を設けることで、テーブル及びストッパーユニットを所定位置までスライドすることにより、テーブルの支柱を旋回することができるようにしたものである。
（請求項４）
請求項４に記載の発明は、上記した請求項１〜３のいずれか１項に記載の発明の目的に加え、次の点を目的とする。
【０００９】
すなわち、請求項４に記載の発明は、複数の使用位置にテーブルを選択的に停止させることができるようにしたものである。
（請求項５）
請求項５に記載の発明は、上記した請求項４に記載の発明の目的に加え、次の点を目的とする。
【００１０】
すなわち、請求項４に記載の発明は、ベッドの側部に設けたパネルの各使用位置に設けられた複数の一時停止部から停止手段を構成することができるようにしたものである。
（請求項６）
請求項６に記載の発明は、上記した請求項５に記載の発明の目的に加え、次の点を目的とする。
【００１１】
すなわち、請求項６に記載の発明は、請求項５に記載の複数の一時停止部に加え、パネルに設けられた複数の一時停止部の一つに係合する昇降部材と、当該昇降部材を一時停止部に向かって押圧する押圧手段とから停止手段を構成することができるようにしたものである。
（請求項７）
請求項７に記載の発明は、上記した請求項１〜６のいずれか１項に記載の発明の目的に加え、次の点を目的とする。
【００１２】
すなわち、請求項７に記載の発明は、摺動部材がベッドの側部に設けられたレールに沿って転動することにより、テーブル収納機構のスライドを可能とすることができるようにしたものである。
（請求項８）
請求項８に記載の発明は、上記した請求項１〜７のいずれか１項に記載の発明の目的に加え、次の点を目的とする。
【００１３】
すなわち、請求項８に記載の発明は、ガタ防止部をベッドの側板に当接させることで、テーブル収納機構のスライド時のガタ付きを防止することができるようにしたものである。
（請求項９）
請求項９に記載の発明は、上記した請求項１〜８のいずれか１項に記載の発明の目的に加え、次の点を目的とする。
【００１４】
すなわち、請求項９に記載の発明は、収納されたテーブルを持ち上げる時のアシスト効果のほか、テーブル収納作業時のテーブルの急な倒れ込みを防止する効果を目的とするものである。
【課題を解決するための手段】
【００１５】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【００１６】
第１に、ベッド(20)用のテーブル収納機構(10)は、例えば図１〜３に示すように、ベッド(20)の上方に位置する天板(31)と、天板(31)からベッド(20)の側部に向かって延びる支柱(32)とを備えたテーブル(30)を、ベッド(20)の長手方向に沿ってスライド及び旋回可能に保持し、未使用時にベッド(20)のフットボード(22)に接近させるものである。
第２に、テーブル収納機構(10)は、例えば図１に示すように、テーブル(30)をベッド(20)の足下付近に設けられた所定位置に移動させると、テーブル(30)を旋回可能とし、テーブル(30)を旋回することにより、天板(31)をベッド(20)のフットボード(22)に接近させ保持するものである。
（請求項２）
請求項２に記載の発明は、上記した請求項１に記載の発明の特徴点に加え、次の点を特徴とする。
【００１７】
第１に、ベッド(20)の側部には、例えば図５及び図６に示すように、ベッド(20)の長手方向に沿ってパネル(70)とレール(60)とを設けている。
第２に、テーブル(30)の支柱(32)には、例えば図５及び図６に示すように、パネル(70)及びレール(60)に対してスライド可能に支持され、所定位置において支柱(32)をスライド不能に固定し、パネル(70)及びレール(60)に対して支柱(32)を旋回可能なストッパーユニット(90)を設けた。
（請求項３）
請求項３に記載の発明は、上記した請求項２に記載の発明の特徴点に加え、次の点を特徴とする。
【００１８】
すなわち、パネル(70)の所定位置には、例えば図４、図１２及び図１５に示すように、支柱(32)を旋回可能とする停止旋回部（例えば切欠き72）を設けた。
なお、停止旋回部として、切欠き(72)を例示したが、これに限定されず、突状のものでも良い。
（請求項４）
請求項４に記載の発明は、上記した請求項１〜３のいずれか１項に記載の発明の特徴点に加え、次の点を特徴とする。
【００１９】
すなわち、テーブル収納機構(10)には、例えば図４、図１２及び図１６に示すように、テーブル(30)のスライド範囲内において、複数の使用位置で選択的に、テーブル(30)のスライドを停止させるための停止手段（例えばパネル70の一時停止部である凹部73と、ストッパーユニット90）を備えた。
（請求項５）
請求項５に記載の発明は、上記した請求項４に記載の発明の特徴点に加え、次の点を特徴とする。
【００２０】
第１に、ベッド(20)の側部には、例えば図４及び図１２に示すように、ベッド(20)の長手方向に沿ってパネル(70)を設けている。
第２に、停止手段には、例えば図４、図１２及び図１６に示すように、パネル(70)の各使用位置に設けられた複数の一時停止部（例えば凹部73）を備えた。
なお、一時停止部として、凹部(73)を例示したが、これに限定されず、凸部でも良い。
（請求項６）
請求項６に記載の発明は、上記した請求項５に記載の発明の特徴点に加え、次の点を特徴とする。
【００２１】
すなわち、停止手段には、例えば図４、図１０及び図１１に示すように、次の構成を備える。
（１）昇降部材（例えば昇降ローラ93）
昇降部材（例えば昇降ローラ93）は、パネル(70)に設けられた複数の一時停止部（例えば凹部73）の一つに係合するものである。
【００２２】
なお、昇降部材として、昇降ローラ(93)を例示したが、これに限定されず、ローラを使用しないものでも良い。
（２）押圧部材（例えばバネ94）
押圧部材（例えばバネ94）は、昇降部材（例えば昇降ローラ93）を一時停止部（例えば凹部73）に向かって押圧するものである。
【００２３】
なお、押圧部材として、バネ(94)を例示したが、これに限定されず、例えばスポンジ等の弾性体を使用しても良い。
（請求項７）
請求項７に記載の発明は、上記した請求項１〜６のいずれか１項に記載の発明の特徴点に加え、次の点を特徴とする。
【００２４】
すなわち、テーブル(30)には、例えば図５及び図７に示すように、ベッド(20)の長手方向に沿って当該ベッド(20)の側部に設けられたレール(60)内に転動可能に設けられた摺動部材（例えば摺動ローラ86）を備えた。
なお、摺動部材として、摺動ローラ(86)を例示したが、これに限定されず、ローラを使用しないものでも良い。
（請求項８）
請求項８に記載の発明は、上記した請求項１〜７のいずれか１項に記載の発明の特徴点に加え、次の点を特徴とする。
【００２５】
すなわち、テーブル(30)には、例えば図５及び図７に示すように、ベッド(20)の側板（例えばサイドフレーム23）に当接するガタ防止部（例えば当接ローラ89）を設けた。
なお、ガタ防止部として、当接ローラ(89)を例示したが、これに限定されず、ローラを使用しないものでも良い。
（請求項９）
請求項９に記載の発明は、上記した請求項１〜８のいずれか１項に記載の発明の特徴点に加え、次の点を特徴とする。
【００２６】
すなわち、テーブル収納機構(10)には、例えば図５及び図７に示すように、旋回の支点（例えばシャフト84）に対し、ベッド(20)のヘッドボード(21)側に向かって常に回転するように付勢するための付勢手段（例えばゼンマイ87）を備えた。
なお、付勢手段として、ゼンマイ(87)を例示したが、これに限定されず、例えばコイルスプリングや板バネ等を使用しても良い。
【発明の効果】
【００２７】
本発明は、以上のように構成されているので、以下に記載されるような効果を奏する。（請求項１）
請求項１に記載の発明によれば、次のような効果を奏する。
すなわち、請求項１に記載の発明によれば、テーブルをベッドの足下付近に設けられた所定位置まで移動させることにより、テーブルの旋回が可能となることから、テーブルの収納をスムーズに行うことができる。
（請求項２）
請求項２に記載の発明によれば、上記した請求項１に記載の発明の効果に加え、次のような効果を奏する。
【００２８】
すなわち、請求項２に記載の発明によれば、ベッドの側部に設けたパネル及びレールと、テーブルの支柱に設けたストッパーユニットとからテーブル収納機構を構成することができる。
（請求項３）
請求項３に記載の発明によれば、上記した請求項２に記載の発明の効果に加え、次のような効果を奏する。
【００２９】
すなわち、請求項３に記載の発明によれば、パネルの所定位置に停止旋回部を設けることで、テーブル及びストッパーユニットを所定位置までスライドすることにより、テーブルの支柱を旋回することができる。
（請求項４）
請求項４に記載の発明によれば、上記した請求項１〜３のいずれか１項に記載の発明の効果に加え、次のような効果を奏する。
【００３０】
すなわち、請求項４に記載の発明によれば、複数の使用位置にテーブルを選択的に停止させることができる。
（請求項５）
請求項５に記載の発明によれば、上記した請求項４に記載の発明の効果に加え、次のような効果を奏する。
【００３１】
すなわち、請求項４に記載の発明によれば、ベッドの側部に設けたパネルの各使用位置に設けられた複数の一時停止部から停止手段を構成することができる。
（請求項６）
請求項６に記載の発明によれば、上記した請求項５に記載の発明の効果に加え、次のような効果を奏する。
【００３２】
すなわち、請求項６に記載の発明によれば、請求項５に記載の複数の一時停止部に加え、パネルに設けられた複数の一時停止部の一つに係合する昇降部材と、当該昇降部材を一時停止部に向かって押圧する押圧手段とから停止手段を構成することができる。
（請求項７）
請求項７に記載の発明によれば、上記した請求項１〜６のいずれか１項に記載の発明の効果に加え、次のような効果を奏する。
【００３３】
すなわち、請求項７に記載の発明によれば、摺動部材がベッドの側部に設けられたレールに沿って転動することにより、テーブル収納機構のスライドを可能とすることができる。
（請求項８）
請求項８に記載の発明によれば、上記した請求項１〜７のいずれか１項に記載の発明の効果に加え、次のような効果を奏する。
【００３４】
すなわち、請求項８に記載の発明によれば、ガタ防止部をベッドの側板に当接させることで、テーブル収納機構のスライド時のガタ付きを防止することができる。
（請求項９）
請求項９に記載の発明によれば、上記した請求項１〜８のいずれか１項に記載の発明の効果に加え、次のような効果を奏する。
【００３５】
すなわち、請求項９に記載の発明によれば、収納されたテーブルを持ち上げる時のアシスト効果のほか、テーブル収納作業時のテーブルの急な倒れ込みを防止する効果を奏する。
【図面の簡単な説明】
【００３６】
【図１】テーブル収納機構の動作を説明するための説明図である。
【図２】テーブル収納機構を装着したベッドの概略斜視図である。
【図３】図２に対応し、フットボード側から見た正面図である。
【図４】図１の一部拡大図である。
【図５】テーブル収納機構の断面図である。
【図６】テーブル収納機構の分解斜視図である。
【図７】図６の一部を拡大した分解斜視図である。
【図８】テーブル収納機構の動作を説明するための斜視図である。
【図９】図８に対応し、他の方向から見た斜視図である。
【図１０】ストッパーユニットの斜視図である。
【図１１】図１０に対応し、分解斜視図である。
【図１２】パネルの側面図である。
【図１３】パネルの端面図である。
【図１４】パネルの底面図である。
【図１５】図１２のＡの部分、すなわちパネルの切欠きの拡大図である。
【図１６】図１２のＢの部分、すなわちパネルの凹部の拡大図である。
【図１７】パネルとストッパーユニットとの係合状態を説明するための側面図である。
【図１８】図１７に対応し、一部拡大図である。
【図１９】本発明の第２の実施の形態を示し、同図はパネルの切欠きの拡大図である。
【発明を実施するための形態】
【００３７】
（テーブル収納機構10）
図中、10は、ベッド20用のテーブル収納機構であって、図１に示すように、テーブル30をベッド20のフットボード22に接近させた状態で収納することができるようにしたものである。
ベッド20には、図１〜３に示すように、大別すると、ヘッドボード21、フットボード22、左右のサイドフレーム23、床板（図示せず）を備える。ベッド20の床板（図示せず）上には、マットレス40が載置されている。
【００３８】
テーブル30は、図１〜３に示すように、大別すると、ベッド20の上方に位置する天板31と、天板31からベッド20の側部、すなわちに天板31の左右両端部から左右のサイドフレーム23に向かってそれぞれ延びる左右一対の支柱32とを備える。
左右のサイドフレーム23は、板状に形成されているが、これに限定されず、収納用の引き出し等を設けたり、或いは枠状としても良い。
【００３９】
なお、支柱32を左右一対設けたが、これに限定されず、支柱32を１本として、天板31を片持ち支持するようにしても良い。
テーブル収納機構10は、図５〜７に示すように、大別すると、次のパーツを備える。
なお、次の（１）〜（５）については、後述する。
（１）ベース50
（２）レール60
（３）パネル70
（４）連結ユニット80
（５）ストッパーユニット90
なお、テーブル収納機構10は、上記した（１）〜（５）に限定されない。
（ベース50）
ベース50は、図５及び図６に示すように、ベッド20の床板（図示せず）上に載置されるものであり、マットレス40との間にサンドイッチ状に挿入される。
【００４０】
ベース50は、方形の板状であり、ベッド20の床板（図示せず）と全長をほぼ同じ大きさに形成され、左右の横幅を床板より幅広に設定している。ベース50の左右両側には、アーチ状のガイド51が左右一対設けている。左右のガイド51の横幅は、マットレス40の横幅にほぼ等しい間隔に設定され、ベース50上に載置したマットレス40の横ずれを防止している。
（レール60）
レール60は、図５及び図６に示すように、長尺に形成され、ベース50の側部に沿って固定される。テーブル30は、後述する連結ユニット80及びストッパーユニット90を介してレール60にスライド可能に支持される。
【００４１】
レール60は、断面がＣ字形に形成され、開放下面を下方に向けた状態で、ベース50の左右両側の下面に一対固定される。
なお、レール60を、ベース50の左右両側に一対固定したが、これに限定されず、テーブル30を片持ちにした場合には、ベース50の左右の一方の片側だけに固定するようにしても良い。また、レール60を、ベース50の下面に固定したが、これに限定されず、下面以外の位置、例えば上面や側面に固定しても良い。さらに、レール60を、ベース50に対して固定したが、図示しないが、ベース50を省略し、レール60をベッド20のサイドフレーム23に直接、固定しても良い。
【００４２】
レール60の長さの途中には、図６に示すように、エンドキャップ61を固定するようにしている。ベッド20のヘッドボード21側に固定するエンドキャップ61は、ヘッドボード21側の最接近位置を規制する。フットボード22側に固定するエンドキャップ61は、フットボード22側の最接近位置を規制する。このため、テーブル30は、ヘッドボード21側に固定したエンドキャップ61と、フットボード22側に固定したエンドキャップ61との間をスライドする。
（パネル70）
パネル70は、図５及び図６に示すように、レール60と同様に長尺に形成され、レール60に隣接させてベース50の側部に沿って固定される。
【００４３】
パネル70は、板状に形成され、ベース50の左右の側縁に一対固定される。
なお、パネル70を、ベース50の左右両側に一対固定したが、これに限定されず、テーブル30を片持ちにした場合には、ベース50の左右の一方の片側だけに固定するようにしても良い。また、パネル70を、ベース50の側縁に固定したが、これに限定されず、側縁以外の位置、例えば上面や下面に固定しても良い。さらに、パネル70を、ベース50に対して固定したが、図示しないが、ベース50を省略し、レール60をベッド20のサイドフレーム23に直接、固定しても良い。
【００４４】
パネル70には、図１２〜１６に示すように、次の各部を備える。
なお、パネル70の各部は、次の（１）〜（３）に限定されない。
（１）段部71
段部71は、図５及び図１３に示すように、ベース50の端面と対向するパネル70の内側面に形成され、凹状に凹んでいる。
【００４５】
（２）切欠き72（停止旋回部）
切欠き72は、図１２〜１６に示すように、パネル70の長手方向の所定位置に設けられ、支柱32を旋回可能とするものであり、停止旋回部として機能する。
なお、停止旋回部として、切欠き72を例示したが、これに限定されず、突状のものでも良い。
【００４６】
具体的には、切欠き72は、ベッド20の足下付近に設けられた所定位置に位置し、パネル70の下面から上方に向かって、断面台形形に切り欠いて形成している。
切欠き72に、ストッパーユニット90の後述するスライダ92が位置すると、後述するバネ94の付勢力により、スライダ92が上昇して切欠き72内にはまり込み、テーブル30のスライドが停止する。
【００４７】
この状態で、テーブル30を倒すと、断面台形形の切欠き72の斜面に押されて、スライダ92がバネ94の付勢力に抗して押される。このため、スライダ92が切欠き72内で下降することで、後述するシャフト84を中心としたストッパーユニット90の回転が可能となる。
（３）凹部73（一時停止部）
凹部73は、図１２〜１６に示すように、パネル70の各使用位置に複数個、例えば７個設けられ、一時停止部として機能する。
【００４８】
なお、一時停止部として、凹部73を例示したが、これに限定されず、凸部でも良い。
また、凹部73は、テーブル30のスライド範囲内において、複数の使用位置で選択的に、テーブル30のスライドを停止させるためのものであり、停止手段の一部を構成する。
なお、凹部73を、７個設けたが、これに限定されず、単数や、１〜６個、或いは８個以上設けても良い。
【００４９】
具体的には、凹部73は、パネル70の下面から上方に向かって、断面台形形に切り欠いて形成している。
凹部73を、切欠き72と比較すると、凹部73は、パネル70の長尺方向の前後の溝幅が狭く、且つ浅く形成されている。また、凹部73は、切欠き72がパネル70の板厚方向に形成されているのに対し、パネル70の板厚の半分に形成され、パネル70の板厚の方向の左右の幅が狭く形成されている。
【００５０】
凹部73に、ストッパーユニット90の後述する昇降ローラ93が位置すると、当該凹部73内に昇降ローラ93の一部がはまり込み、テーブル30のスライドが停止し、仮止めされる。
なお、停止手段を、パネル70の凹部73と、ストッパーユニット90とから構成したが、これに限定されない。
（連結ユニット80）
連結ユニット80は、図５〜７に示すように、後述する摺動ローラ86を介して、レール60に沿って転動可能に吊り下げられ、後述するストッパーユニット90を介して、同じく後述するシャフト84を中心にテーブル30を旋回可能に支持するためのものである。
【００５１】
具体的には、連結ユニット80には、図７に示すように、大別すると、次のパーツを備える。
なお、次の（１）〜（９）については、後述する。
（１）プレート81
（２）内側ベース82
（３）外側ベース83
（４）シャフト84
（５）ブロック85
（６）摺動ローラ86（摺動部材）
（７）ゼンマイ87（付勢部材）
（８）カバー88
（９）当接ローラ89（ガタ防止部）
なお、連結ユニット80のパーツは、上記した（１）〜（９）に限定されない。
（ストッパーユニット90）
ストッパーユニット90は、図１及び図５〜７に示すように、パネル70及びレール60に対して支柱32を旋回可能なものである。
【００５２】
具体的には、ストッパーユニット90は、図７に示すように、大別すると、次のパーツを備える。
なお、次の（１）〜（５）については、後述する。
（１）リテーナー91
（２）スライダ92
（３）昇降ローラ93（昇降部材）
（４）バネ94（押圧部材）
（５）固定ローラ95
なお、ストッパーユニット90のパーツは、上記した（１）〜（５）に限定されない。
（プレート81）
プレート81は、図５及び図７に示すように、後述する摺動ローラ86を介して、レール60に沿ってスライド可能に吊り下げられものである。プレート81には、後述するストッパーユニット90を介して、同じく後述するシャフト84を中心に旋回可能に支持する。
【００５３】
具体的には、プレート81は、上面が開口したＵ字形に形成されたＵ字形の開口部81aが設けられている。
（内側ベース82）
内側ベース82は、図５及び図７に示すように、プレート81のＵ字形の開口部81aに固定され、中央には後述するシャフト84が通る軸受孔82aが設けられている。
（外側ベース83）
外側ベース83は、図５及び図７に示すように、後述するストッパーユニット90を挟んで、外側に位置し、テーブル30の支柱32の内側面に固定され、中央には後述するシャフト84が通る挿通孔83aが設けられている。
（シャフト84）
シャフト84は、図５及び図７に示すように、外側ベース83を介してテーブル30の支柱32の内側面に固定される。シャフト84は、外側ベース83の挿通孔83aを通り、後述するストッパーユニット90を貫通し、内側ベース82の軸受孔82aを通り、一部突出する。
（ブロック85）
ブロック85は、図７及び図１８に示すように、プレート81の外側の側面に固定され、後述するストッパーユニット90の回転を規制するためのものである。
【００５４】
具体的には、ブロック85は、ストッパーユニット90の後述するリテーナー91の外側面に当接し、テーブル30の支柱32が直立した使用状態において、ベッド20のヘッドボード21の方向にテーブル30が倒れないようにしている。
（摺動ローラ86）
摺動ローラ86は、図５及び図７に示すように、プレート81の上部に固定された上、レール60内にはめ込まれ、レール60に沿って転動し、昇降部材として機能する。
【００５５】
なお、昇降部材として、昇降ローラ93を例示したが、これに限定されず、ローラを使用しないものでも良い。
具体的には、各摺動ローラ86には、２個のローラが装着されている。２個のローラを装着した摺動ローラ86を、２組使用し、各摺動ローラ86を、Ｕ字形のプレート81の両端部にそれぞれ固定している。
【００５６】
このため、プレート81は、摺動ローラ86を介して、レール60から吊り下げられるようにして支持される。
（ゼンマイ87）
ゼンマイ87は、図５及び図７に示すように、内側ベース82の軸受孔82aを通り、一部突出したシャフト84に固定され、付勢手段を構成として機能する。
【００５７】
付勢手段は、旋回の支点、例えばシャフト84に対し、ベッド20のヘッドボード21側に向かって常に回転するように付勢するためのものである。
なお、付勢手段として、ゼンマイ87を例示したが、これに限定されず、例えばコイルスプリングや板バネ等を使用しても良い。
具体的には、ゼンマイ87は、外側の巻き端を内側ベース82に固定し、内側の巻き端をシャフト84と一体的に回転可能に固定する。
【００５８】
このため、テーブル30を、使用位置から収納位置に向かって旋回すると、シャフト84を介して巻き上げられる。このため、ゼンマイ87は、バネ力を蓄積し、シャフト84を介して、テーブル30を収納位置から使用位置に向かって旋回するように付勢する。
（カバー88）
カバー88は、図５及び図７に示すように、ゼンマイ87を挟んで、内側ベース82に固定され、内側ベース82の軸受孔82aと連通する連通孔88aが設けられている。連通孔88aには、内側ベース82の軸受孔82aを通り、一部突出したシャフト84の先端部が回転可能に挿入される。
（当接ローラ89）
当接ローラ89は、図５及び図７に示すように、ベッド20の側板、例えばサイドフレーム23に当接するものであり、ガタ防止部として機能する。
【００５９】
なお、ガタ防止部として、当接ローラ89を例示したが、これに限定されず、ローラを使用しないものでも良い。
具体的には、当接ローラ89は、２個使用し、サイドフレーム23と対向するＵ字形のプレート81の両端部の内側面にそれぞれ固定されている。
（リテーナー91）
リテーナー91は、図７、図１０及び図１１に示すように、連結ユニット80に支持され、連結ユニット80と一体的にスライドするとともに、連結ユニット80に対してシャフト84を介して回転可能に支持されるものである。
【００６０】
具体的には、リテーナー91の中央には、シャフト84が通る、横方向に貫通した貫通孔91aが形成されている。リテーナー91は、内側ベース82と外側ベース83との間に位置し、貫通孔91aに挿入されるシャフト84と一体的に回転可能に支持される。
（スライダ92）
スライダ92は、図７、図１０及び図１１に示すように、リテーナー91にスライド可能に支持されるものである。
【００６１】
具体的には、スライダ92の上部は、パネル70の断面台形形の切欠き72と等しい台形形に形成されている。
このため、スライダ92が、パネル70の切欠き72に位置すると、後述するバネ94の付勢力により、スライダ92が上昇して切欠き72内にはまり込み、テーブル30のスライドが停止する。
【００６２】
この停止状態で、テーブル30を倒すと、スライダ92の上部の外側面の斜面と、切欠き72内の内側面の斜面とが互いに当接し、切欠き72内の斜面に押されて、スライダ92がバネ94の付勢力に抗して下降する。
スライダ92が切欠き72内で下降することで、シャフト84を中心としたストッパーユニット90の回転が可能となる。
（昇降ローラ93）
昇降ローラ93は、図７、図１０及び図１１に示すように、パネル70に設けられた複数の凹部73の一つに係合するものであり、昇降部材として機能する。
【００６３】
なお、昇降部材として、昇降ローラ93を例示したが、これに限定されず、ローラを使用しないものでも良い。
具体的には、昇降ローラ93は、スライダ92の上部に回転可能に支持され、スライダ92と一体的にスライドする。
昇降ローラ93は、パネル70の下面に沿って転動する。昇降ローラ93は、パネル70の下面押されることで、スライダ92が常時は下降している。
【００６４】
これに対し、昇降ローラ93が複数の凹部73の一つにはまり込むことで、昇降ローラ93の転動抵抗が増加する。このため、昇降ローラ93が凹部73の一つにはまり込んだ位置で、テーブル30のスライドが停止し、仮止めされる。
仮止め状態からテーブル30を再度、スライドするには、凹部73の一つにはまり込んだ昇降ローラ93が抜け出すに必要な力が必要となり、テーブル30の通常の使用状態では、テーブル30が不用意にスライドしないように設定している。
（バネ94）
バネ94は、図７、図１０及び図１１に示すように、昇降ローラ93を凹部73に向かって押圧するものであり、押圧部材として機能する。
【００６５】
なお、押圧部材として、バネ94を例示したが、これに限定されず、例えばスポンジ等の弾性体を使用しても良い。
具体的には、バネ94は、２本使用され、リテーナー91とスライダ92との間で弾縮され、そのバネ復元力により、スライダ92がリテーナー91から離れる方向、すなわちスライダ92を介して、昇降ローラ93を凹部73に向かって押圧している。
（固定ローラ95）
固定ローラ95は、図７、図１０、図１１及び図１８に示すように、パネル70の下面に沿って転動し、固定部材として機能する。
【００６６】
なお、固定部材として、固定ローラ95を例示したが、これに限定されず、ローラを使用しないものでも良い。
具体的には、固定ローラ95は、２本使用され、リテーナー91の上部に回転可能に支持される。
（テーブル収納機構10の使用方法）
上記した構成を有するテーブル収納機構10の使用方法について説明する。
【００６７】
まず、テーブル30が直立した使用状態において、図１に示すように、テーブル30をスライドすると、連結ユニット80の摺動ローラ86が、レール60に沿って摺動する。
テーブル30を使用位置までスライドすると、ストッパーユニット90の昇降ローラ93が、図１７及び図１８に示すように、パネル70の複数の凹部73の一つにはまり込むことで、テーブル30のスライドが停止し、仮止めされる。
【００６８】
仮止め状態からテーブル30を再度、スライドするには、テーブル30を強くスライドすれば良い。テーブル30を強くスライドすると、昇降ローラ93がはまり込んでいる凹部73の内面に押され、スライダ92がバネ94の付勢力に抗して下降することで、当該凹部73から昇降ローラ93が抜け出る。
一方、テーブル30を収納する際には、図１に示すように、テーブル30を足下方向にスライドすれば良い。テーブル30をスライドし、パネル70が切欠き72の位置まで、ストッパーユニット90のスライダ92が移動すると、バネ94の付勢力により、スライダ92が上昇して切欠き72内にはまり込み、テーブル30のスライドが停止する。
【００６９】
この停止状態で、テーブル30を倒すと、図４に示すように、断面台形形の切欠き72内の斜面に押されて、スライダ92がバネ94の付勢力に抗して押される。このため、スライダ92が切欠き72内で下降することで、ストッパーユニット90がシャフト84を中心に回転する。
ストッパーユニット90が９０度回転すると、図４に示すように、そのリテーナー91の外側面が、パネル70の下面と平行になり、当該下面に当接することで、ストッパーユニット90の回転が停止する。
【００７０】
すなわち、テーブル30の支柱32が直立した使用状態から、図１に示すように、シャフト84を中心に９０度旋回して、支柱32が倒れた収納状態となり、このとき、天板31がほほ垂直になり、フットボード22とほほ平行に位置する。
テーブル30の収納状態において、図４に示すように、テーブル30をフットボード22に向かって押し込むと、ストッパーユニット90のリテーナー91の外側面が、パネル70の下面に摺接することで、テーブル30をフットボード22に接近させて収納することができる。
【００７１】
この収納位置において、テーブル30を起こそうとしても、リテーナー91の外側面が、パネル70の下面に当接していることから、テーブル30の旋回が不能である。
テーブル30を使用する際には、図１に示すように、テーブル30をヘッドボード21から離れるように引き出して、引き起こせば良い。
すなわち、パネル70の切欠き72の位置までストッパーユニット90が移動すると、図４に示すように、ストッパーユニット90の回転が可能となる。
【００７２】
このとき、ゼンマイ87に蓄積したバネ力により、テーブル30を比較的軽い力で、引き起こすことができる。
テーブル30を引き起こすと、図４に示すように、ストッパーユニット90がシャフト84を中心に逆回転し、９０度、回転した位置で、そのリテーナー91の外側面がブロック85に当接することで、ストッパーユニット90の回転が停止する。
【００７３】
このとき、バネ94の付勢力により、スライダ92が上昇して切欠き72内にはまり込むことで、テーブル30が不用意にスライドしないようにしている。
その後、テーブル30を使用する際には、図１に示すように、テーブル30をヘッドボード21の方向にスライドさせると、切欠き72内の斜面に押されて、スライダ92がバネ94の付勢力に抗して押されて下降する。このため、スライダ92が切欠き72内から抜け出ることで、テーブル30のスライドが可能となる。
（第２の実施の形態）
つぎに、図１９を用いて、本発明の第２の実施の形態について説明する。
【００７４】
本実施の形態の特徴は、パネル70の切欠き72に、図１９に示すように、当該切欠き72を塞ぐことが可能な閉塞部材100を設けた点である。
すなわち、図示しないが、テーブル30を倒して収納せずに、支柱32が直立した使用状態のまま、足下、すなわちフットボード22に接近した位置までスライドしたいときに、閉塞部材100によりパネル70の切欠き72を閉塞する。
【００７５】
切欠き72を閉塞すると、図示しないが、ストッパーユニット90が切欠き72の位置を通過し、フットボード22に接近した位置までパネル70に沿って摺動する。
なお、図示しないが、切欠き72を通過した位置、すなわちパネル70のフットボード22寄りに、凹部を設けることで、テーブル30を仮止めすることも可能である。
閉塞部材100は、図示しないが、切欠き72内に出没可能に保持する。切欠き72を通過させたい場合には、閉塞部材100を切欠き72内に突出させ、当該切欠き72を閉塞した閉塞位置に固定する。これに対し、テーブル30を倒して収納したい場合には、閉塞部材100を切欠き72内から待避させて、切欠き72を開放する。
【符号の説明】
【００７６】
（第１の実施の形態）
10  テーブル収納機構
20  ベッド                21  ヘッドボード
22  フットボード          23  サイドフレーム
30  テーブル
31  天板                  32  支柱
40  マットレス
50  ベース                51  ガイド
60  レール                61  エンドキャップ
70  パネル
71  段部                  72  切欠き（停止旋回部）
73  凹部（一時停止部）
80  連結ユニット
81  プレート              81a 開口部
82  内側ベース            82a 軸受孔
83  外側ベース            83a 挿通孔
84  シャフト              85  ブロック
86  摺動ローラ（摺動部材）
87  ゼンマイ（付勢手段）
88  カバー                88a 連通孔
89  当接ローラ（ガタ防止部）
90  ストッパーユニット
91  リテーナー            91a 貫通孔
92  スライダ
93  昇降ローラ（昇降部材）
94  バネ（押圧部材）
95  固定ローラ（固定部材）
（第２の実施の形態）
100  閉塞部材
【図１】
2011142962.tif 000003
【図２】
2011142962.tif 000004
【図３】
2011142962.tif 000005
【図４】
2011142962.tif 000006
【図５】
2011142962.tif 000007
【図６】
2011142962.tif 000008
【図７】
2011142962.tif 000009
【図８】
2011142962.tif 000010
【図９】
2011142962.tif 000011
【図１０】
2011142962.tif 000012
【図１１】
2011142962.tif 000013
【図１２】
2011142962.tif 000014
【図１３】
2011142962.tif 000015
【図１４】
2011142962.tif 000016
【図１５】
2011142962.tif 000017
【図１６】
2011142962.tif 000018
【図１７】
2011142962.tif 000019
【図１８】
2011142962.tif 000020
【図１９】
2011142962.tif 000021